(57)【要約】【課題】照光部が均一に照光し明確な操作感触を有する接点ばね付きシートおよび接点ばね付きシートを用いたスイッチ装置を提供するものである。【解決手段】略ドーム状に形成された接点ばね２１と、接点ばね２１を保持可能なシート部材２２と、外部から受けた押圧を接点ばね２１の頂部に伝える押し子２３と、外部光源からの光を導く導光シート２４と、導光シート２４に導かれた光により発光する発光部２５と、を有し、接点ばね２１はシート部材２２の下面側に保持され、押し子２３はシート部材２２の上面側の接点ばね２１に対応する位置に設けられ、導光シート２４は押し子２３を覆うようにシート部材２２の上面側に積層して配置され、発光部２５は、導光シート２４の上面側の押し子２３に対応する位置を含む所定の領域に配置され、第１の発光層２５ａと第２の発光層２５ｂとを組み合わせることにより形成されている接点ばね付きシート２および接点ばね付きシート２を用いたスイッチ装置１とする。【選択図】図１
2012204247.tif 000002
【特許請求の範囲】
【請求項１】
略ドーム状に形成された接点ばねと、
前記接点ばねを保持可能なシート部材と、
外部から受けた押圧を前記接点ばねの頂部に伝える押し子と、
外部光源からの光を導く導光シートと、
前記導光シートに導かれた光により発光する発光部と、を有し、
前記接点ばねは前記シート部材の下面側に保持され、
前記押し子は前記シート部材の上面側の前記接点ばねに対応する位置に設けられ、
前記導光シートは前記押し子を覆うように前記シート部材の上面側に積層して配置され、
前記発光部は、前記導光シートの上面側の前記押し子に対応する位置を含む所定の領域に配置され、発光状態の異なる第１の発光層と第２の発光層とを組み合わせることにより形成されていることを特徴とする接点ばね付シート。
【請求項２】
前記第１の発光層および前記第２の発光層は前記発光部が配置される全領域に形成され、
前記発光部は前記第１の発光層の上面側に前記第２の発光層を積層させて形成されていることを特徴とする請求項１に記載の接点ばね付シート。
【請求項３】
前記第１の発光層は前記発光部が配置される全領域に形成され、
前記第２の発光層は前記発光部が配置される全領域のうち前記押し子に対応する部分を除いた領域に形成され、
前記発光部は前記第１の発光層の上面側に前記第２の発光層を積層させて形成されていることを特徴とする請求項１に記載の接点ばね付シート。
【請求項４】
前記第１の発光層は前記発光部が配置される全領域のうち前記押し子に対応する領域にのみ形成され、
前記第２の発光層は、前記発光部が配置される全領域のうち前記押し子に対応する領域を除いた領域に形成され、
前記発光部は前記第２の発光層を前記第１の発光層の周囲に囲むように配置させて形成されていることを特徴とする請求項１に記載の接点ばね付シート。
【請求項５】
前記第１の発光層における通過する光を拡散させる拡散材の含有量が、前記第２の発光層における通過する光を拡散させる拡散材の含有量よりも少ないものとなっている、ことを特徴とする請求項１ないし請求項４に記載の接点ばね付シート。
【請求項６】
前記シート部材の前記接点ばねの頂点部周辺に対応する箇所の上面側には凹部が設けられ、前記凹部内に前記押し子が形成されていることを特徴とする請求項１ないし請求項５に記載の接点ばね付シート。
【請求項７】
前記請求項１乃至請求項６に記載の前記接点ばね付シートと、
固定接点を有する基板と、を備え、
前記接点ばねと前記固定接点とが離接可能となるように、前記接点ばね付シートが前記基板上に配置されていることを特徴とするスイッチ装置。
【発明の詳細な説明】
【技術分野】
【０００１】
本発明は、照光機能を備えた接点ばね付シートおよび照光機能を有した接点ばね付シートを用いたスイッチ装置に関し、特に、発光部が局所的に発光せず均一に明るく発光する接点ばね付シートおよび接点ばね付シートを用いたスイッチ装置に関するものである。
【背景技術】
【０００２】
例えば、携帯電話のキーボード部には接点ばね付シートを用いたスイッチ装置が用いられていることが多い。このように、接点ばね付シートおよび接点ばね付シートを用いたスイッチ装置は電気機器の操作部に用いられる。
【０００３】
特に携帯電話などの電気機器では、キーを操作したという明確な操作感が使用者に伝わることが求められるため、明確な操作感のある接点ばね付シートおよび明確な操作感のある接点ばね付シートを用いたスイッチ装置が求められている。
【０００４】
また、携帯電話などの携帯可能な電気機器は暗所でも使用されることが多い為、暗所でも操作がしやすいように、照光機能を備えた接点ばね付シートおよび接点ばね付シートを用いたスイッチ装置が求められている。
【０００５】
明確な操作感のある接点ばね付シートおよび明確な操作感のある接点ばね付シートを用いたスイッチ装置としては、下記の特許文献１に記載の接点ばね付シートおよび接点ばね付シートを用いたスイッチ装置が知られている。
【０００６】
以下、図１０および図１１を用いて、特許文献１に記載の接点ばね付シートＣＳおよび接点ばね付シートＣＳを用いたスイッチ装置ＳＷについて説明する。図１０は、特許文献１に記載の接点ばね付シートＣＳを用いたスイッチ装置ＳＷの斜視図である。説明の都合上、接点ばね付シートＣＳを用いたスイッチ装置ＳＷは接点ばね付シートＣＳと基板ＣＢとに分解して表示している。
【０００７】
図１１は特許文献１に記載の接点ばね付シートＣＳを用いたスイッチ装置ＳＷの断面図である。同様の構造が複数並んでいる為、説明の簡略化のため、代表してある一部分のみ示している。
【０００８】
特許文献１に記載の接点ばね付シートおよび接点ばね付シートを用いたスイッチ装置は、図１０のように接点ばね付シートＣＳと基板ＣＢとからなり、図１１のように重ね合わせることで接点ばね付シートを用いたスイッチ装置ＳＷを形成している。
【０００９】
スイッチ装置ＳＷは、可動接点ばねＭＳと、この可動接点ばねＭＳを下面側に保持すると共に上面側の可動接点ばねＭＳに対応する箇所の一部を突出加工して突出部ＬＢが形成されたシート部材ＳＨと、シート部材ＳＨの上面側で可動接点ばねＭＳの頂部に対応する箇所に設けられ透光性を有した押し子ＰＪと、可動接点ばねＭＳの外周端と接続する周辺接点ＯＣと押圧された可動接点ばねＭＳと接続可能な中央接点ＣＣとを有した基板ＣＢと、を備えている。
【００１０】
スイッチ装置ＳＷは、ここでは図示しないスイッチボタンなどにより押し子ＰＪを介して可動接点ばねＭＳが押圧され変形し、可動接点ばねＭＳが中央接点ＣＣに接することで周辺接点ＯＣと中央接点ＣＣとの間が電気的に接続され、押圧を解除することで周辺接点ＯＣと中央接点ＣＣとの間の電気的接続が加除されることでスイッチ装置として機能する。
【先行技術文献】
【特許文献】
【００１１】
【特許文献１】特開２０１０−２７７７１４号公報
【発明の概要】
【発明が解決しようとする課題】
【００１２】
特許文献１に記載の接点ばね付シートを用いたスイッチ装置は、スイッチ装置として特に問題はないが、明確な操作感があり照光機能を備えた接点ばね付シートを用いたスイッチ装置を提供する為には、透光性を有し外部光源から光を導く導光シート（図示せず）を特許文献１に記載の接点ばね付シートを用いたスイッチ装置の上面に配置し、照光部（図示せず）を設ける必要がある。
【００１３】
特許文献１に記載の接点ばね付シートを用いたスイッチ装置の上面に導光シートを配置し、可動接点ばねＭＳに対応する部分で光を拡散させて発光する照光部を設けることで照光機能を有することが出来る。
【００１４】
しかしながら、上記接点ばね付シートを用いたスイッチ装置においては、導光シートを伝わってきた光が、透光性を有した押し子ＰＪに到達した際に、導光シートと押し子ＰＪとの境界面で拡散したり、押し子ＰＪが凸レンズに類似した形状をしていることから押し子ＰＪを通過した光が収束することで、照光部が局部的に明るくなってしまうという課題がある。
【００１５】
本発明は、上述した課題を解決して、照光部が均一に照光し明確な操作感触を有する接点ばね付シートおよび接点ばね付シートを用いたスイッチ装置を提供するものである。
【課題を解決するための手段】
【００１６】
請求項１の接点ばね付シートは、略ドーム状に形成された接点ばねと、前記接点ばねを保持可能なシート部材と、外部から受けた押圧を前記接点ばねの頂部に伝える押し子と、外部光源からの光を導く導光シートと、前記導光シートに導かれた光により発光する発光部と、を有し、前記接点ばねは前記シート部材の下面側に保持され、前記押し子は前記シート部材の上面側の前記接点ばねに対応する位置に設けられ、前記導光シートは前記押し子を覆うように前記シート部材の上面側に積層して配置され、前記発光部は、前記導光シートの上面側の前記押し子に対応する位置を含む所定の領域に配置され、発光状態の異なる第１の発光層と第２の発光層とを組み合わせることにより形成されている、という特徴を有する。
【００１７】
請求項２の接点ばね付シートは、前記第１の発光層および前記第２の発光層は前記発光部が配置される全領域に形成され、前記発光部は前記第１の発光層の上面側に前記第２の発光層を積層させて形成されている、という特徴を有する。
【００１８】
請求項３の接点ばね付シートは、前記第１の発光層は前記発光部が配置される全領域に形成され、前記第２の発光層は前記発光部が配置される全領域のうち前記押し子に対応する部分を除いた領域に形成され、前記発光部は前記第１の発光層の上面側に前記第２の発光層を積層させて形成されている、という特徴を有する。
【００１９】
請求項４の接点ばね付シートは、前記第１の発光層は前記発光部が配置される全領域のうち前記押し子に対応する領域にのみ形成され、前記第２の発光層は、前記発光部が配置される全領域のうち前記押し子に対応する領域を除いた領域に形成され、前記発光部は前記第２の発光層を前記第１の発光層の周囲に囲むように配置させて形成されている、という特徴を有する。
【００２０】
請求項５の接点ばね付シートは、前記第１の発光層における通過する光を拡散させる拡散材の含有量が、前記第２の発光層における通過する光を拡散させる拡散材の含有量よりも少ないものとなっている、という特徴を有する。
【００２１】
請求項６の接点ばね付シートは、前記シート部材の前記接点ばねの頂点部周辺に対応する箇所の上面側には凹部が設けられ、前記凹部内に前記押し子が形成されている、という特徴を有する。
【００２２】
請求項７の接点ばね付シートを用いたスイッチ装置は、前記請求項１乃至請求項６に記載の前記接点ばね付シートと、固定接点を有する基板と、を備え、前記接点ばねと前記固定接点とが離接可能となるように、前記接点ばね付シートが前記基板上に配置されスイッチ機構を形成している、という特徴を有する。
【発明の効果】
【００２３】
請求項１の発明によれば、発光部を第１の発光層と第２の発光層とを組み合わせて形成した。これにより、十分に明るく均一な光で発光部を照光させることができ、暗所でも操作しやすい接点ばね付シートを提供することができる。
【００２４】
請求項２の発明によれば、発光部から外部に出る光は第１の発光層を通過してから第２の発光層を通過することで、押し子を通過した光による部分的な異常発光を緩和し、発光部全域を十分に明るく均一な光で発光させることが可能となる。
【００２５】
請求項３の発明によれば、発光層は第１の発光層と第２の発光層とからなり、第１の発光層は発光部が配置される全領域に形成され、第２の発光層は発光部が配置される全領域のうち押し子に対応する部分を除いた領域に形成され、発光部は第１の発光層の上面側に第２の発光層を積層させて形成されている構成とすることで、押し子を通過した光による部分的な異常発光を緩和し、発光部全域において十分に明るく均一な光で発行させることができる、という効果を奏する。
【００２６】
請求項４の発明によれば、第１の発光層は発光部が配置される全領域のうち押し子に対応する領域にのみ形成され、第２の発光層は、発光部が配置される全領域のうち押し子に対応する領域を除いた領域に形成され、発光部は第２の発光層を第１の発光層の周囲に囲むように配置させて形成されている構成とすることで、押し子を通過した光による部分的な異常発光を緩和し、発光部全域において十分に明るく均一な光で発光させることができる、という効果を奏する。
【００２７】
請求項５の発明によれば、第１の発光層における通過する光を拡散させる拡散材の含有量は第２の発光層における通過する光を拡散させる拡散材の含有量よりも少ない。そのため、第１の発光層では一部の光を除いて光を遮断、吸収することで通過した光を弱めることができ、第２の発光層では拡散材により通過する光を拡散させることで、押し子を通過した光による部分的な異常発光を緩和するとともに、緩和された光を拡散させることで発光部２５において明るく均一な光で照光させることが可能となる、という効果を奏する。
【００２８】
請求項６の発明によれば、凹部を設けることで、接点ばねの頂点部に対応する位置に押し子を形が崩れることなく確実に形成でき、押し子を介して接点ばねを押圧すると接点ばねの頂点部を確実に押圧することが出来ることから、接点ばねの外周端部付近を押圧した場合に比べると、より明確な操作感触を得ることができる。
【００２９】
請求項７の発明によれば、接点ばね付シートと基板とを重ねることで明確な操作感触があり、発光部が均一に発光するスイッチ装置１１を容易に形成することができる、という効果を奏する。
【図面の簡単な説明】
【００３０】
【図１】実施形態の接点ばね付シート（接点ばね付シート）２を用いたスイッチ装置１１の構造を示す図である。
【図２】本実施形態の接点ばね付シート２を用いたスイッチ装置１１の構成を示す分解斜視図である。
【図３】本実施形態の接点ばね付シート２を用いたスイッチ装置１１を示す外観斜視図である。
【図４】本実施形態の接点ばね付シート２を用いたスイッチ装置１１の動作を説明する断面１Ｂ−１Ｂを示した断面図である。
【図５】導光シート２４を通過する光の一例を示す図である。
【図６】第２実施形態における発光部２５の構成を示す図である。
【図７】第２実施形態における導光シート２４を通過する光の一例を示す図である。
【図８】第３実施形態における発光部２５の構成を示す図である。
【図９】第３実施形態における導光シート２４を通過する光の一例を示す図である。
【図１０】特許文献１に記載の接点ばね付シートＣＳおよび接点ばね付シートＣＳを用いたスイッチ装置ＳＷを示す斜視図である。
【図１１】特許文献１に記載の接点ばね付シートＣＳを用いたスイッチ装置ＳＷの断面を示す断面図である。
【発明を実施するための形態】
【００３１】
［第１実施形態］
以下に、本実施形態の接点ばね付シート２を用いたスイッチ装置１１について、図１ないし図５を用いて説明する。
【００３２】
図１は、本実施形態の接点ばね付シート２を用いたスイッチ装置１１の構造を示す図であり、図１（ａ）はスイッチ装置１１の上面図であり、図１（ｂ）は図１（ａ）の断面１Ｂ−１Ｂを示す断面図である。なお、図１はスイッチ装置の一部を示したものである。図２は、本実施形態の接点ばね付シート２を用いたスイッチ装置１１の構成を示す分解斜視図である。図３は、本実施形態の接点ばね付シート２を用いたスイッチ装置１１を示す外観斜視図である。
【００３３】
接点ばね付シート２を用いたスイッチ装置１１は、図１ないし図３に示すように、接点ばね付シート２と基板３によって構成され、接点ばね付シート２と基板３とを積層することで、図３のように、スイッチ装置１１が形成される。
【００３４】
まず、接点ばね付シート２について図１ないし図３を用いて説明する。
【００３５】
接点ばね付シート２は、図１（ｂ）に示すように、略ドーム状に形成された接点ばね２１と、接点ばね２１を下面側に保持可能なシート部材２２と、外部からの押圧を受けその押圧を接点ばね２１に伝えるプロジェクション（押し子）２３と、外部光源４（図５参照）からの光を導く導光シート２４と、導光シート２４に導かれた光により発光する発光部２５と、から形成されている。
【００３６】
シート部材２２は一面側に接点ばね２１を保持し、他面側には接点ばね２１に対応する位置にプロジェクション２３が形成されている。また、プロジェクション２３を覆うように導光シート２４がシート部材２２に積層され、導光シート２４のシート部材２２と対向しない面において、プロジェクション２３に対応する位置を含む領域には発光部２５が設けられている。
【００３７】
接点ばね２１は、ばね性と導電性とを有した金属板からなり、プレス加工でドーム形状に形成されている。接点ばね２１は、ドーム形状の頂点位置に当たる頂部２１ａ側から押圧されると押圧された方向に変形し、押圧から開放されるとばね性により元の形状に戻る。
【００３８】
接点ばね２１は、図２に示すように、頂部２１ａ側から見ると円形状をしているが、対向する両端部を切り落とし、略矩形状としても良い。
【００３９】
シート部材２２は、例えば、ＰＥＴ（Ｐｏｌｙｅｔｈｙｌｅｎｅ  ｔｅｒｅｐｈｔｈａｌａｔｅ、ポリエチレンテレフタレート）等の合成樹脂材料からなり、可撓性を有し２層に積層されたシート形状に形成されている。シート部材２２には、導光シート２４に対向する側に光を反射する反射部を形成しても良い。
【００４０】
シート部材２２の一面側には粘着剤が塗布された粘着層２２ａが形成されている。これにより、接点ばね２１を粘着層２２ａに貼り付けることで保持することが可能となり、凹形状に形成されシート部材２２が１層になっている接点ばね保持部２２ｂに接点ばね２１は保持される。
【００４１】
また、接点ばね保持部２２ｂに保持された接点ばね２１の頂部２１ａに対応するシート部材２２の他面側には、内部が球面状の凹部２２ｃが形成されている。
【００４２】
プロジェクション２３は、例えば、可視光の透過性を有した紫外線硬化樹脂を凹部２２ｃ内に充填して硬化させ、シート部材２２の他面から遠ざかる方向に球面状に突出して形成されている。
【００４３】
導光シート２４は、透明な合成樹脂材からなり、シート状に形成されている。導光シート２４の一面側には粘着剤が塗布された粘着層２４ａが形成され、粘着層２４ａ側をシート部材２２側に向け、プロジェクション２３を覆うように積層されている。
【００４４】
導光シート２４の他面側のプロジェクション２３に対応する位置を含む領域には発光部２５が設けられている。発光部２５は２種類の白色のインクを塗布することで形成されている。導光シート２４上にまず一方の白色のインクを塗布して第１の発光層２５ａを形成し、第１の発光層２５ａの上に他方の白色インクを積層するように塗布して第２の発光層２５ｂを形成することで発光部２５が形成されている。
【００４５】
なお、第１の発光層２５ａ形成する白色のインクおよび第２の発光層２５ｂを形成する白色のインクには、通過した光を拡散する拡散材が含まれており、第１の発光層２５ａに含まれる拡散材の含有量は、第２の発光層２５ｂに含まれる拡散材の含有量よりも少ないものとなっており、それぞれの発光状態が異なるようになっている。
【００４６】
なお、図１では第１の発光層２５ａの塗布面積と第２の発光層２５ｂの塗布面積とが同じに示されているが、いずれか一方の塗布面積を他方の塗布面積より拡げてもよい。
【００４７】
また、図１では第１の発光層２５ａおよび第２の発光層２５ｂの形状を略方形としているが、必要に応じて形状を変更してもよい。
【００４８】
次に基板３について図２を用いて説明する。
【００４９】
基板３は、例えば、フェノール樹脂等の積層板からなり、その上面側には複数の固定接点３ａが配置されている。この固定接点３ａは、導電性の銀やカーボン等の印刷により形成されており、一対の中央接点３ｂと周辺接点３ｃとから構成されている。
【００５０】
中央接点３ｂは円形状に形成され、周辺接点３ｃは中央接点３ｂの周囲を囲むように円環状に形成されており、中央接点３ｂと周辺接点３ｃとの間に電気的な接続はない。
【００５１】
次にスイッチ装置１１の構造について図１を用いて説明する。
【００５２】
スイッチ装置１１は、接点ばね付シート２の接点ばね２１がそれぞれ対応する基板３の固定接点３ａ上に配置されるように積層されることで形成される。接点ばね付シート２と基板３とは、シート部材２２の粘着層２２ａによって固定される。これにより、固定接点３ａ上に配置された接点ばね２１の外周端部と周辺接点３ｃとは常時電気的に接続され、スイッチ機構が形成される。
【００５３】
次にスイッチ装置１１の動作について図４を用いて説明する。図４はスイッチ装置１１の動作を説明する断面１Ｂ−１Ｂを示した断面図である。図４（ａ）は押圧前の状態のスイッチ装置１１を示す断面図であり、図４（ｂ）は押圧中の状態のスイッチ装置１１を示す断面図であり、図４（ｃ）は動作範囲末端まで押圧した状態のスイッチ装置１１を示す断面図である。なお、説明を分かりやすくするために、図４においては導光シート２４および発光部２５の記載は割愛している。
【００５４】
スイッチ装置１１は外部から押圧されていないとき、図４（ａ）に示すような状態にある。スイッチ装置１１が、図４（ｂ）に示すように、外部から矢印Ｐ方向に押圧されると、発光部２５（図１（ｂ）参照）や導光シート２４（図１（ｂ）参照）を介してプロジェクション２３が押圧され、押圧されたプロジェクション２３は接点ばね２１の頂部２１ａを押圧し、接点ばね２１は押圧された方向に変形する。その後、図４（ｃ）に示すように、さらに矢印Ｐ方向に押圧されると、接点ばね２１は中央接点３ｂと接触し、接点ばね２１を介して中央接点３ｂと周辺接点３ｃとの間が電気的に接続される。
【００５５】
押圧を解除すると、接点ばね２１は有したばね性により図４（ａ）に示すような元の形状に戻り、中央接点３ｂと周辺接点３ｃとの間の電気的な接続がなくなる。
【００５６】
このように接点ばね２１と中央接点３ｂとが接離可能に配置されることでスイッチ機構が構成され、スイッチ装置１１として機能する。
【００５７】
次に発光部２５の照光について、図５を用いて説明する。図５は導光シート２４を通過する光の一例を示したものであり、図５（ａ）はプロジェクション２３を通過せずに外部に出る光Ｘの例を示したものであり、図５（ｂ）はプロジェクション２３を通過した後に外部に出る光Ｙの例を示したものである。なお、図５では説明の都合上、導光シート２４、発光部２５、プロジェクション２３および外部光源４のみを図示する。
【００５８】
図５（ａ）および図５（ｂ）に示すように、外部光源４から照射された光は、導光シート２４の外部光源４に近接する側の端面から導光シート２４の内部に入射し、導光シート２４内を反射しながら発光部２５が配置された領域まで進む。発光部２５は白インクから形成されているため、透明な導光シート２４と比べると透光率は悪いが透光性を有しており、光を拡散させる拡散材を含んでいるため、光は発光部２５を通過して外部に出ることができる。このとき拡散材によって光が拡散して発光部２５から発光される。
【００５９】
ここで、発光部２５は、第１の発光層２５ａの上層に第２の発光層２５ｂを積層して形成されており、第２の発光層２５ｂは第１の発光層２５ａよりも多くの拡散剤を含んでいる。発光部２５が配置された領域まで進んできた光は第１の発光層２５ａを通過したあとに第２の発光層２５ｂを通過する。
【００６０】
第１の発光層２５ａは白インクで形成され、透明な導光シート２４に比べて透光性が悪く、含まれる拡散材が少ない為、発光部２５が配置された領域まで進んできた光を反射、吸収し、その一部のみを拡散材で拡散しながら通過させるという効果を奏する。
【００６１】
また、第２の発光層２５ｂは白インクで形成されているが、含まれる拡散材が多い為、通過する光を効率よく均一に拡散させることで、十分な明るさでムラなく均一に発光させるという効果を奏する。
【００６２】
導光シート２４内を進み、発光部２５から外部に出る光には、図５（ａ）に示すような、プロジェクション２３を通過せず発光部２５から外部に出る光Ｘと、図５（ｂ）に示すような、プロジェクション２３を通過した後に発光部２５から外部に出る光Ｙ、とがある。
【００６３】
以下では、光Ｘが発光部２５を通過する場合と光Ｙが発光部２５を通過する場合にわけて説明する。
【００６４】
先ず始めに、光Ｘが通過する場合について説明する。光Ｘは、図５（ａ）に示すように、導光シート２４の内部を反射しながら発光部２５が配置された領域まで進み、まず第１の発光層２５ａに入射する。
【００６５】
前述の通り、第１の発光層２５ａは一部の光のみを通過させるため、第２の発光層２５ｂに到達した時点の光Ｘは、第１の発光部に到達した時点と比べて弱い光となっている。
【００６６】
弱められた光Ｘが第２の発光層２５ｂに入射すると、多くの拡散材に拡散されながら通過することで発光部２５全体に光が行きわたり、外部に出るときには均一で十分な明るさを持った光となり、発光部２５から発光される。
【００６７】
次に、光Ｙが通過する場合について説明する。
【００６８】
光Ｙは、図５（ｂ）に示すように、プロジェクション２３を通過してから発光部２５を通過して外部に出る。プロジェクション２３は透光性を有する合成樹脂材で凸レンズ状に形成されているため、光Ｙはプロジェクション２３を通過したその他複数の光Ｚとともに収束されて発光部２５に達する。なお、光Ｙとその他複数の光Ｚとが収束された光は光Ｙとして扱うこととする。
【００６９】
プロジェクション２３を通過後に第１の発光層２５ａに達した光Ｙは複数の光Ｚが含まれているため、プロジェクション２３を通過していない光Ｘに比べて非常に明るい光となっている。そのため、第１の発光層２５ａに達した時点では、プロジェクション２３に対応する部分が明るく、その周囲は暗く見え、発光部全体で見たときに明るさにムラが発生している。
【００７０】
第１の発光層２５ａを通過して第２の発光部に達した光Ｙは、光Ｘと同様に、第１の発光層２５ａに達した時点と比べて弱い光となっている。そのため、第１の発光層２５ａに達した時点と比べて発光部全体で見たときに明るさのムラは小さくなっている。
【００７１】
弱められた光Ｙが第２の発光層２５ｂに入射すると、多くの拡散材に拡散されながら通過することで発光部２５全体に光が行きわたり、外部に出るときには均一で十分な明るさを持った光となり、発光部２５から発光される。
【００７２】
このように、第１の発光層２５ａを通過したあとに第２の発光層２５ｂを通過した光Ｘおよび光Ｙによって、発光部２５全域から十分な明るさでムラのない光が発光される。
【００７３】
以下、本実施形態としたことによる効果について説明する。
【００７４】
以上に記したように、本実施形態のスイッチ装置１１では、発光部２５は第１の発光層２５ａと第２の発光層２５ｂとを組み合わせることにより形成されている。
【００７５】
これにより、発光部２５を第１の発光層２５ａと第２の発光層２５ｂとを組み合わせて形成したことで、十分に明るく均一な光で発光部２５から発光させることができ、暗所でも操作しやすいスイッチ装置１１を提供することができる。
【００７６】
また、本実施形態のスイッチ装置１１では、第１の発光層２５ａおよび第２の発光層２５ｂは発光部２５が配置される全領域に形成され、発光部２５は第１の発光層２５ａの上面側に第２の発光層２５ｂを積層させて形成されている。
【００７７】
これにより、プロジェクション２３を通過した光Ｙによる部分的な異常発光を緩和し、発光部２５全域から十分に明るく均一な光を発光させることができるという効果を奏する。
【００７８】
また、本実施形態のスイッチ装置１１では、第１の発光層２５ａにおける通過した光を拡散させる拡散材の含有量が、第２の発光層２５ｂにおける通過した光を拡散させる拡散材の含有量よりも少ないものとなっている。
【００７９】
これにより、第１の発光層２５ａでは一部の光を除いて光を反射、吸収することで通過した光を弱めることができ、第２の発光層２５ｂでは拡散材により通過する光を拡散させることで、プロジェクション２３を通過した光Ｙによる部分的な異常発光を緩和するとともに、緩和された光を拡散させることで発光部２５から明るく均一な光を発光させることが可能となる、という効果を奏する。
【００８０】
また、本実施形態のスイッチ装置１１では、シート部材２２の接点ばね２１の頂部２１ａ周辺に対応する箇所の上面側には凹部２２ｃが設けられ、凹部２２ｃ内にプロジェクション２３が形成されている。
【００８１】
これにより、凹部２２ｃを設けることで、接点ばね２１の頂部２１ａに対応する位置にプロジェクション２３を形が崩れることなく確実に形成でき、プロジェクション２３を介して接点ばね２１を押圧することで接点ばね２１の頂部２１ａを確実に押圧することが出来ることから、接点ばね２１の外周端部付近を押圧した場合に比べると、より明確な操作感触を得ることができる、という効果を奏する。
【００８２】
また、本実施形態のスイッチ装置１１では、接点ばね付シート２と、固定接点３ａを有する基板３とを備え、接点ばね２１と固定接点３ａとが離接可能となるように、接点ばね付シート２が基板３上に配置されスイッチ機構を形成している。
【００８３】
これにより、接点ばね付シート２と基板３とを重ねることで明確な操作感触があり、発光部２５が均一に発光するスイッチ装置１１を容易に形成することができる、という効果を奏する。
【００８４】
［第２実施形態］
以下に、第２実施形態のスイッチ装置１２について説明するが、本実施形態のスイッチ装置１２は第１実施形態のスイッチ装置１１と比較した時、第１の発光層２５ａと第２の発光層２５ｂの配置のみが変わったものであり、部品構成は第１実施形態のスイッチ装置１１と同じである。したがって、以下の説明には第１実施形態と同じ符号を使用するとともに、第１の発光層２５ａと第２の発光層２５ｂの配置についてのみ図６を用いて説明し、発光部２５の照光について、図７を用いて説明する。なお、第１実施形態と同様の構造の部分については説明を割愛する。
【００８５】
図６は、第２実施形態における発光部２５の構成を示す図であり、図６（ａ）は発光部２５を上方から見た図であり、図６（ｂ）は図６（ａ）に示す断面６Ｂ−６Ｂを表わす断面図である。
【００８６】
図７は導光シート２４を通過する光の一例を示したものであり、図７（ａ）はプロジェクション２３を通過せずに発光部２５から外部に出る光の例を示したものであり、図７（ｂ）はプロジェクション２３を通過した後に発光部２５から外部に出る光の例を示したものである。なお、図７では説明の都合上、導光シート２４、発光部２５、プロジェクション２３および外部光源４のみを図示する。
【００８７】
本実施形態において発光部２５の構造は、図６に示すように、第１の発光層２５ａは発光部２５が配置される全領域に形成され、第２の発光層２５ｂは発光部２５が配置される全領域のうちプロジェクション２３に対応する部分を除いた領域に形成され、発光部２５は第１の発光層２５ａの上面側に第２の発光層２５ｂを積層させて形成されている。
【００８８】
なお、図６において、第１の発光層２５ａの外周端と第２の発光層２５ｂの外周端をそろえているが、外周端はそろっていなくてもよい。
【００８９】
次に、発光部２５の照光について説明する。
【００９０】
図７に示すように、外部光源４から照射された光は、導光シート２４の外部光源４に近接する側の端面から導光シート２４の内部に入射し、導光シート２４内を反射しながら発光部２５が配置された領域まで進む。発光部２５から外部に出る光には、プロジェクション２３を通過せずに発光部２５から外部に出る光Ｘとプロジェクション２３を通過した後に発光部２５から外部に出る光Ｙがある。
【００９１】
まず、光Ｘによる発光部２５の照光について説明する。
【００９２】
光Ｘは、図７（ａ）に示すように、第１の発光層２５ａのみを通過して外部に出る光Ｘ１と、第１の発光層２５ａを通過した後に第２の発光層２５ｂを通過して外部に出る光Ｘ２とがある。
【００９３】
光Ｘ１は第１の発光層２５ａを通過することで弱められ十分な明るさで発光部２５から発光することができない。また、光Ｘ２は第１の発光層２５ａを通過した後に第２の発光層２５ｂを通過することで拡散材に拡散され、第１実施形態と同様に均一で十分な明るさで発光部２５から発光することができる。
【００９４】
したがって、光Ｘにより、発光部２５はプロジェクション２３に対応する領域は十分な明るさが得られずに暗く、それ以外の領域は十分な明るさで均一に発光する。
【００９５】
次に光Ｙによる発光部２５の照光について説明する。
【００９６】
光Ｙは、凸レンズ形状に形成されたプロジェクション２３を通過することで、プロジェクション２３を通過したその他複数の光Ｚとともに収束され、光Ｙのほとんどが発光部２５のプロジェクション２３に対応する領域に達する。
【００９７】
光Ｙはそのまま外部に出ると部分的に非常に明るい異常発光となるが、第１の発光層２５ａのみで形成されているプロジェクション２３に対応する領域を通過することで弱められ、スイッチ装置１２を操作するのに十分な明るさとなってプロジェクション２３に対応する領域を照光する。また、プロジェクション２３に対応する領域以外の領域には光Ｙがほとんど届かないので、プロジェクション２３に対応する領域以外の領域は照光されない。
【００９８】
つまり、光Ｘがプロジェクション２３に対応する領域以外の領域を均一で十分な明るさで照光し、光Ｙがプロジェクション２３に対応する領域を均一で十分な明るさで照光することで、発光部２５は配置された領域の全域を十分な明るさで均一に照光する。
【００９９】
これにより、発光部２５は第１の発光層２５ａと第２の発光層２５ｂとからなり、第１の発光層２５ａは発光部２５が配置される全領域に形成され、第２の発光層２５ｂは発光部２５が配置される全領域のうちプロジェクション２３に対応する部分を除いた領域に形成され、発光部２５は第１の発光層２５ａの上面側に第２の発光層２５ｂを積層させて形成されている構成とすることで、プロジェクション２３を通過した光Ｙによる部分的な異常発光を緩和し、発光部２５全域を十分に明るく均一な光で発光させることができる、という効果を奏する。
【０１００】
［第３実施形態］
以下に、第３実施形態のスイッチ装置１３について説明するが、本実施形態のスイッチ装置１３は第１実施形態のスイッチ装置１１と比較した時、第１の発光層２５ａと第２の発光層２５ｂの配置のみが変わったものであり、部品構成は第１実施形態のスイッチ装置１１と同じである。したがって、以下の説明には第１実施形態と同じ符号を使用するとともに、第１の発光層２５ａと第２の発光層２５ｂの配置についてのみ図８を用いて説明し、発光部２５の照光について、図９を用いて説明する。第１実施形態と同様の構造の部分については説明を割愛する。
【０１０１】
図８は、第２実施形態における発光部２５の構成を示す図であり、図８（ａ）は発光部２５を上方から見た図であり、図８（ｂ）は図８（ａ）に示す断面８Ｂ−８Ｂを表わす断面図である。
【０１０２】
図９は導光シート２４を通過する光の一例を示したものであり、図９（ａ）はプロジェクション２３を通過せずに発光部２５から外部に出る光の例を示したものであり、図９（ｂ）はプロジェクション２３を通過した後に発光部２５から外部に出る光の例を示したものである。なお、図７では説明の都合上、導光シート２４、発光部２５、プロジェクション２３および外部光源４のみを図示する。
【０１０３】
本実施形態において発光部２５の構造は、図８に示すように、第１の発光層２５ａは発光部２５が配置される全領域のうちプロジェクション２３に対応する領域にのみ形成され、第２の発光層２５ｂは発光部２５が配置される全領域のうちプロジェクション２３に対応する領域を除いた領域に形成され、発光部２５は第２の発光層２５ｂを第１の発光層２５ａの周囲に囲むように配置させて形成されている。
【０１０４】
次に、発光部２５の照光について説明する。
【０１０５】
図９に示すように、外部光源４から照射された光は、導光シート２４の外部光源４に近接する側の端面から導光シート２４の内部に入射し、導光シート２４内を反射しながら発光部２５が配置された領域まで進む。発光部２５から外部に出る光には、プロジェクション２３を通過せずに発光部２５から外部に出る光Ｘとプロジェクション２３を通過した後に発光部２５から外部に出る光Ｙがある。
【０１０６】
まず、光Ｘによる発光部２５の照光について説明する。
【０１０７】
光Ｘは、図９（ａ）に示すように、第１の発光層２５ａのみを通過して外部に出る光Ｘ３と、第２の発光層２５ｂのみを通過して外部に出る光Ｘ４とがある。
【０１０８】
光Ｘ３は第１の発光層２５ａを通過することで弱められ十分な明るさで発光部２５から発光することができない。また、光Ｘ４は第２の発光層２５ｂを通過することで拡散材に拡散され、第１実施形態と同様に均一で十分な明るさで発光部２５から発光することができる。
【０１０９】
したがって、光Ｘにより、発光部２５は第１の発光層２５ａの領域は十分な明るさが得られずに暗く、第２の発光層２５ｂの領域は十分な明るさで均一に発光する。
【０１１０】
次に光Ｙによる発光部２５の照光について説明する。
【０１１１】
光Ｙは、凸レンズ形状に形成されたプロジェクション２３を通過することで、プロジェクション２３を通過したその他複数の光Ｚとともに収束され、光Ｙのほとんどが発光部２５のプロジェクション２３に対応する領域である第１の発光層２５ａに達する。
【０１１２】
光Ｙはそのまま外部にでると部分的に非常に明るい異常発光となるが、第１の発光層２５ａを通過することで弱められ、スイッチ装置１３を操作するのに十分な明るさとなって第１の発光層２５ａの領域を照光する。また、光Ｙがほとんど届かないプロジェクション２３に対応する領域以外の領域である第２の発光層２５ｂの領域は照光されない。
【０１１３】
つまり、光Ｘがプロジェクション２３に対応する領域以外の領域である第２の発光層２５ｂを均一で十分な明るさで照光し、光Ｙがプロジェクション２３に対応する領域である第１の発光層２５ａを均一で十分な明るさで照光することで、発光部２５は配置された領域の全域を十分な明るさで均一に照光する。
【０１１４】
これにより、第１の発光層２５ａは発光部２５が配置される全領域のうちプロジェクション２３に対応する領域にのみ形成され、第２の発光層２５ｂは、発光部２５が配置される全領域のうちプロジェクション２３に対応する領域を除いた領域に形成され、発光部２５は第２の発光層２５ｂを第１の発光層２５ａの周囲に囲むように配置させて形成されている構成とすることで、プロジェクション２３を通過した光Ｙによる部分的な異常発光を緩和し、発光部２５全域を十分に明るく均一な光で発光させることができる、という効果を奏する。
以上のように、本発明の実施形態に係る接点ばね付シートおよび接点ばね付シートを用いたスイッチ装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【０１１５】
（１）上記実施形態において、外部光源４は基板３以外の場所に配置されているが、基板３上に配置しても良い。
【０１１６】
（２）上記実施形態において、スイッチ装置１１は２１キー（３×７）としたが、キー数およびキーレイアウトは必要に応じて自由に設定できる。
【０１１７】
（３）上記実施形態において、外部光源４はある一方向に１個のみ配置されているが、必要に応じて複数の方向に必要な個数を配置しても良い。
【符号の説明】
【０１１８】
２  接点ばね付シート
３  基板
４  外部光源
１１  スイッチ装置
１２  スイッチ装置
１３  スイッチ装置
２１  接点ばね
２１ａ  頂部
２２  シート部材
２２ａ  粘着層
２２ｂ  接点ばね保持部
２２ｃ  凹部
２３  プロジェクション（押し子）
２４  導光シート
２４ａ  粘着層
２５  発光部
２５ａ  第１の発光層
２５ｂ  第２の発光層
Ｐ  矢印
Ｘ  光
Ｘ１  光
Ｘ２  光
Ｘ３  光
Ｘ４  光
Ｙ  光
Ｚ  光
【図１】
2012204247.tif 000003
【図２】
2012204247.tif 000004
【図３】
2012204247.tif 000005
【図４】
2012204247.tif 000006
【図５】
2012204247.tif 000007
【図６】
2012204247.tif 000008
【図７】
2012204247.tif 000009
【図８】
2012204247.tif 000010
【図９】
2012204247.tif 000011
【図１０】
2012204247.tif 000012
【図１１】
2012204247.tif 000013